(57)【要約】【課題】耐熱性が良好で、ブランチ接続においても全光ファイバケーブルについての調光の均一性が良好で、調光変化をスムーズに行うことができ“ちらつき”が発生しない調光照明装置を提供する。【解決手段】光源装置１と光ファイバケーブル４０とこの光ファイバケーブルからの出射光強度を調節する調光装置２とを備えた調光照明装置。調光装置２は、調光板２１とその回転駆動手段２２とを有する。調光板を回転させることで複数の調光度領域が光源装置１と光ファイバケーブル４０との間の光通過経路に択一的に進入せしめられる。調光度領域のうちの少なくとも２つは円板状の基材に開けられた多数の小穴により所要の調光度を実現している。光通過経路には調光板２１を通過した光を導入しミキシングして光ファイバケーブル４０の方へと出射させる多角柱部３１及び円柱部３２を有するミキシングロッド３が配置されている。【選択図】  図３
2004335199.tif 000002
【特許請求の範囲】
【請求項１】
光源装置と、該光源装置から発せられる光を導光するものであって前記光源装置から発せられる光が入射する光入射端面及び導光した光を出射させる光出射端面を有する光ファイバケーブルと、該光ファイバケーブルからの出射光強度を調節する調光装置とを備えた調光照明装置であって、
前記調光装置は、円板状基材にその周方向に沿って配列された複数の調光度領域を有する調光板と該調光板のそれに直交する回転中心の周りでの回転を駆動する駆動手段とを有しており、前記調光板を回転させることで前記複数の調光度領域が前記光源装置と前記光ファイバケーブルの光入射端面との間の光通過経路に択一的に進入せしめられ、前記複数の調光度領域のうちの少なくとも２つが前記円板状基材に開けられた多数の小穴により所要の調光度を実現しており、
前記光通過経路には前記調光板の調光度領域を通過した光を入射端面から導入しミキシングして出射端面から前記光ファイバケーブルの方へと出射させるミキシングロッドが配置されており、該ミキシングロッドは断面が略正七角形、略正六角形及び略正五角形のいずれかをなす多角柱部を備えていることを特徴とする、光ファイバケーブルを用いた調光照明装置。
【請求項２】
前記光源装置は光源とそれに付されたリフレクタとを備えていることを特徴とする、請求項１に記載の光ファイバケーブルを用いた調光照明装置。
【請求項３】
前記ミキシングロッドは、前記多角柱部が前記入射端面側に位置しており、前記出射端面側には前記多角柱部に連続して形成された円柱部が位置していることを特徴とする、請求項１〜２のいずれかに記載の光ファイバケーブルを用いた調光照明装置。
【請求項４】
前記多数の小穴を有する調光度領域において前記小穴は当該調光度領域の中心を通る前記円板状基材の半径方向線分を対称中心線としてその両側に線対称的に配列されていることを特徴とする、請求項１〜３のいずれかに記載の光ファイバケーブルを用いた調光照明装置。
【請求項５】
複数の前記光ファイバケーブルがそれらの光入射端面側の端部同士を束ねられて配置されており、前記複数の光ファイバケーブルのそれぞれはそれらの光出射面側の端部が個別に配置されていることを特徴とする、請求項１〜４のいずれかに記載の光ファイバケーブルを用いた調光照明装置。
【発明の詳細な説明】
【０００１】
【発明の属する技術分野】
本発明は、光源装置から発せられる光を光ファイバケーブルを用いて導光し出射させる照明装置であって、特に調光機能を備えたものに関する。このような調光照明装置は、例えば広告用などの看板の照明その他において利用される。
【０００２】
【従来の技術及び発明が解決しようとする課題】
従来、光源装置から発せられる光を、光ファイバケーブルを介して光源装置から離隔した位置へと導いて、その近くに位置する被照明体へと照射する照明装置が使用されている。光源装置の光源としては、ハロゲンランプやメタルハライドランプ等のランプが使用される。また、光ファイバケーブルは、例えば数十〜数百本の光ファイバを束ねたものからなり、一方の端面（光入射端面）に光源装置からの光を導入し、導光した光を他方の端面（光出射端面）または側面から出射させる。光ファイバケーブルは、光源装置に１本のみ接続するシングル接続の形態の他に、複数本の光ファイバケーブルの光入射端部を束ねて光源装置に接続し各光ファイバケーブルの光出射端部を個別に配置するようにしたブランチ接続の形態もある。
【０００３】
光ファイバケーブルの光出射端面から出射される光を用いる照明には、美術品照明、陳列商品照明、看板照明等がある。また、被照明体として光出射端面に近接した位置にガラスや透明樹脂にフロストやディンプルなどの加工を施したものを配置し、これらを床面に埋設したり公園などの貯水池中に配置したりして、景観照明または文字や絵を表示したディスプレイとして使用することもある。
【０００４】
光ファイバケーブルの側面からの出射光を利用するものとしては、プールサイドや壁面に這わせて、装飾照明、意匠照明またはディスプレイなどとして利用する形態がある。
【０００５】
ところで、光ファイバケーブルを用いた照明装置では、光源装置と光ファイバケーブルとの間の光通過経路に種々の光制御のための手段を配置することで、照明光の光演出を一層効果的にすることができる。このような光制御手段として複数の着色領域を持つカラー円板を使用することで、カラー演出を行うことができる。また、光制御手段として通過光量を制御する調光装置を用いて、明暗演出を行うことができる。
【０００６】
明るさを調節する調光の方式には、光源自体の明るさを調節する電気調光方式と、光源から発せられる光を部分的に遮光するメカニカル調光方式とがある。電気調光方式は、ランプ電圧を変化させてランプ自身の明るさを変化させるものであり、装置構成が簡単である。しかしながら、電気調光方式は、ランプの色温度が変化し、色調が変化するという難点がある。また、電気調光方式は、使用できる光源ランプの種類が限定され、ハロゲンランプや白熱ランプのようにフィラメント方式のランプでは可能であるが、メタルハライドランプや水銀灯などの放電灯では特殊なものを除いて不可能である。
【０００７】
一方、メカニカル調光方式には、虹彩絞りを用いる方法、ＮＤフィルタを用いる方法、パンチング遮光板を用いる方法などがある。メカニカル調光方式は、光ファイバケーブルに入射される光の色温度が変化しないため、調光によっては出射光の色調に影響を与えないという利点がある。このため、美術品などの照明にも有効に利用でき、また、カラー演出と併用しても明るさ変化による本来の色調変化は少ない。
【０００８】
しかし、虹彩絞りを用いる方法は、単一開口の径のサイズを変化させて光の透過量を加減するもので、光量分布として有効領域内で中心部は明るく周辺部が暗くなるという現象が発生する。従って、特にブランチ接続の場合には、全ての光ファイバケーブルの出射光を均一に調光することが困難となる。これは、ブランチ接続の場合、複数の光ファイバケーブルの光出射端部のそれぞれに対応する光入射端部は光ファイバケーブル束の光入射端面において異なる領域に位置することが多く、虹彩絞りから光入射端面に入射する入射光の強度分布パターンが均一でないことから、各光ファイバケーブルの光出射端部から出射する光量が異なるからである。
【０００９】
また、ＮＤフィルタを用いる方法は、全ての光ファイバケーブルの出射光を均一に調光できる。しかし、ＮＤフィルタは基材としてのガラスやプラスチックに金属膜を蒸着し、可視域の光量を減光するものであるため、数段階の調光を行うには、金属膜の蒸着濃度の異なるものを所望段階分揃える必要があり、高価なものになる。更に、光量を大きく減少させるためには、金属膜を濃く蒸着することが必要であり、透過されない光は吸収され熱エネルギーに変換されて温度が上昇し、最悪の場合にはフィルタが割れることもある。
【００１０】
パンチング遮光板を用いる方法は比較的安価且つ耐熱性良好である。しかしながら、従来のパンチング遮光板を用いる方法では、調光時に僅かではあるが“ちらつき”を生ずることがある。
【００１１】
以上の如き従来技術の問題点に鑑み、本発明は、光ファイバケーブルを用いたメカニカル方式の調光照明装置であって、耐熱性が良好で、ブランチ接続においても全ての光ファイバケーブルについての調光の均一性が良好で、調光変化をスムーズに行うことができ“ちらつき”が発生しないものを提供することを目的とするものである。
【００１２】
【課題を解決するための手段】
本発明によれば、以上の如き目的を達成するものとして、
光源装置と、該光源装置から発せられる光を導光するものであって前記光源装置から発せられる光が入射する光入射端面及び導光した光を出射させる光出射端面を有する光ファイバケーブルと、該光ファイバケーブルからの出射光強度を調節する調光装置とを備えた調光照明装置であって、
前記調光装置は、円板状基材にその周方向に沿って配列された複数の調光度領域を有する調光板と該調光板のそれに直交する回転中心の周りでの回転を駆動する駆動手段とを有しており、前記調光板を回転させることで前記複数の調光度領域が前記光源装置と前記光ファイバケーブルの光入射端面との間の光通過経路に択一的に進入せしめられ、前記複数の調光度領域のうちの少なくとも２つが前記円板状基材に開けられた多数の小穴により所要の調光度を実現しており、
前記光通過経路には前記調光板の調光度領域を通過した光を入射端面から導入しミキシングして出射端面から前記光ファイバケーブルの方へと出射させるミキシングロッドが配置されており、該ミキシングロッドは断面が略正七角形、略正六角形及び略正五角形のいずれかをなす多角柱部を備えていることを特徴とする、光ファイバケーブルを用いた調光照明装置、
が提供される。
【００１３】
本発明の一態様においては、前記光源装置は光源とそれに付されたリフレクタとを備えている。本発明の一態様においては、前記ミキシングロッドは、前記多角柱部が前記入射端面側に位置しており、前記出射端面側には前記多角柱部に連続して形成された円柱部が位置している。本発明の一態様においては、前記多数の小穴を有する調光度領域において前記小穴は当該調光度領域の中心を通る前記円板状基材の半径方向線分を対称中心線としてその両側に線対称的に配列されている。本発明の一態様においては、複数の前記光ファイバケーブルがそれらの光入射端面側の端部同士を束ねられて配置されており、前記複数の光ファイバケーブルのそれぞれはそれらの光出射面側の端部が個別に配置されている。
【００１４】
【発明の実施の形態】
以下、図面を参照しながら、本発明の実施の形態を説明する。
【００１５】
図１は本発明による調光照明装置の一実施形態の使用状態を示す斜視図であり、図２はその部分斜視図であり、図３はその光学系の主要部を示す図である。
【００１６】
図１に示されているように、本実施形態では、光源装置１と複数の光ファイバケーブル４０とを備えている。個別の光ファイバケーブル４０には、図１において、符号４ａ，４ｂ，４ｃ，４ｄ，４ｅ，４ｆ，・・・・４ｊが付されている。光ファイバケーブル４０は、直径数ｍｍ以下の光ファイバを例えば数十〜数百本束ねて被覆材で被覆したものからなる。複数の光ファイバケーブル４０を例えば数本〜数十本束ねたものを光ファイバケーブル束４と呼ぶ。本実施形態では、光ファイバケーブル束４はブランチ接続されており、全ての光ファイバケーブルの光入射端部が数十ｃｍの長さにわたって被覆材を剥奪された上で入射端口金４１により纏めて束ねられ、これが光源装置１の受け口金部１５に接続されており、個別の光ファイバケーブルの光出射端部が適宜の間隔を以て壁面からなる被照明体５の下辺部近傍に配置されている。光源装置１は被照明体５から隔てられた位置に配置され、光ファイバケーブル４０の光出射端部から出射した光が被照明体５に照射される。
【００１７】
図２及び図３に示されるように、光源装置１は、光源たるランプ１１、それに付されたリフレクタ（反射鏡）１２、防熱フィルタ１３、ランプ用電源１４、受け口金部１５、調光装置２及びミキシングロッド３を備えている。調光装置２は、調光板２１とそれを回転させる駆動手段２２とからなる。これらは受け口金部１５を除き１つの筐体内に収納されている。
【００１８】
光源ランプ１１としては、特に制限はないが、例えばハロゲンランプ、メタルハライドランプ、ＬＥＤ等が使用される。リフレクタ１２は、光源ランプ１１から発せられる光を効率よくミキシングロッド３の光入射端面へと導くのに使用される。
【００１９】
調光板駆動手段２２としてはステッピングモータやシンクロナスモータなどが使用され、該駆動手段２２によりＸＹ面内の調光板２１がＸＹ面に直交する回転中心の周りで回転せしめられ且つ所要の回転角度位置にて停止せしめられる。
【００２０】
ミキシングロッド３は、多角柱部３１と円柱部３２とつば部３３とを有する。つば部３３は光源装置筐体への取り付けの便宜のために形成されている。
【００２１】
図４は調光板２１の一例を示す正面図である。調光板は、鉄、アルミニウム、ステンレスなどの耐熱性のある金属からなる円板状基材を用いて形成されており、該基材の厚みは例えば０．５〜１．０ｍｍである。図示されるように、調光板２１には中心部に駆動手段２２の駆動回転軸への取り付けのための取り付け穴が形成されており、その周囲に周方向に沿って７等分されて形成された７つの調光度領域「調光１」〜「調光７」が配置されている。これらの調光度領域は、互いに異なる調光度（即ち入射光量に対する通過光量の割合）を持つ。
【００２２】
「調光１」は１００％光透過の素通し部であり、「調光７」は光非透過の遮光部である。「調光２」〜「調光６」は、多数の小穴が開けられて光透過性を付与された部分であり、小穴寸法は「調光２」から「調光６」へと次第に小さくなっている。各調光度領域の開口率は、「調光２」から「調光６」にかけて次第に小さくなっている。本実施形態では、「調光２」〜「調光５」では小穴の形状は菱形であり、「調光６」では小穴の形状は円形である。
【００２３】
「調光２」〜「調光６」のそれぞれにおいて、多数の小穴は、当該領域の調光板半径方向の中心線に関して線対称的に配列されている。これにより、調光板２１を所望の回転角度位置に停止させて所望の調光度領域を光通過経路に配置する際に、該中心線が光通過経路の中心を通るように配置することができ、この場合、全ての光ファイバケーブルでの導光量を均一にすることが一層容易である。
【００２４】
次に、リフレクタ１２付きの光源ランプ１１から照射される光束の分布及び該光束を導光して光ファイバケーブル束４へと出射するミキシングロッド３について説明する。
【００２５】
図５はリフレクタ１２付きの光源ランプ１１の配光特性を示す図である。これは、反射鏡から７０ｍｍ離れた位置に直径１ｍｍで長さ１ｍの光ファイバの入射端を配置し、該光ファイバをＸ方向及びＹ方向にそれぞれ１ｍｍピッチで移動させ、該光ファイバの出射端での照度を照度計で測定したものである。この図から、配光特性は中心部の照度が高く周辺部の照度が低い円錐状になっていることが分かる。この光束の有効径は、一般に最大照度の５０〜３０％以上の領域の直径を指す。
【００２６】
また、光源ランプ１１及びリフレクタ１２からの光には、ランプのフィラメントの形状やリフレクタの形状によって生ずる照度斑がある。更に、調光板２１を通過することでも若干照度斑が大きくなる。照度斑があると、光ファイバケーブル束４に入射する際に各光ファイバへの入射光量が異なることになり、照明の均一性が低下するので、好ましくない。
【００２７】
この照度斑の発生をできるだけ抑えるために、ミキシングロッド３が使用される。図６及び図７はミキシングロッドの機能を説明するための模式図である。ランプとリフレクタにより形成される集束光は、光軸付近を通るメリジオナル光線に近い光線から構成される。そこで、ランプの光軸をミキシングロッドの軸と一致させた場合のメリジオナル光線のミキシングの様子を、種々の断面形状のものにつき示したのが図６である。断面内では、メリジオナル光線は中心から発する光とみなされる。
【００２８】
図６（Ａ）は、断面円形のミキシングロッドの場合を示す。この場合、中心から発せられる光はロッド内面により必ず逆向きに反射せしめられ、中心に戻る。従って、反射光もまたメリジオナル光線である。各光線は、一定の反射モードをなし、このロッドの中を十分長い距離通過してミキシングが行われる結果、ランダムで等方的なメリジオナル光線の集合になったりすると、出射光は光軸からの距離が大きくなるほど強度が小さくなる強度分布の光となる。実際には、入射光は完全なメリジオナル光線ではないため、強度分布は上記とはやや異なるものの、中心部が強く周辺部が弱いパターンを持つ。
【００２９】
図６（Ｂ）及び図６（Ｃ）は、それぞれ断面正二十角形及び断面正八角形のミキシングロッドの場合を示す。このように断面が八角形以上の正多角形の場合、中心から発せられる光はロッド内面での反射により逆向きとはならないが、比較的中心に戻る。従って、反射光はもはやメリジオナル光線ではなく、反射の度に角度を変え、ランダムな光になっていく。従って、十分に長いロッドを使用して反射回数を増やせば出射光分布は均一に近づく。正二十角形に比べて正八角形の場合には、反射による拡散の度合いが大きく、比較的短い距離で均一化が進むが、一回の反射では反射光が断面の全体に広がらない（影の部分ができる）ため、周辺に暗い部分ができやすく、このため、ある程度長いロッドが必要になる。
【００３０】
図６（Ｄ）、図６（Ｅ）及び図６（Ｆ）は、それぞれ断面正六角形、断面正方形及び断面正三角形のミキシングロッドの場合を示す。これらの断面が正六角形、正方形及び正三角形の場合、更には断面が正七角形、正五角形及び長方形の場合には、一回の反射で光が断面内で全体に広がる性質を持つので、かなり短い距離で出射光分布の均一度を高めることができる。
【００３１】
一方、図７は、光源ランプの光軸がロッドの軸からずれた場合の入射光線の経路を種々の断面形状のロッドの断面内に投影して見た図である。
【００３２】
図７（Ａ）は、断面正六角形のミキシングロッドの場合を示す。断面正七角形及び断面正五角形の場合も同様である。これらの場合、偏心したことで遠くなった側の内面で反射せしめられた光は断面全体には広がらず、影の部分を生ずる。これにより、短い距離（たとえば長さをＬとし、その断面形状における最長対角線の長さをＤとして、Ｌ／Ｄが３未満）で均一度を向上させることは困難である。
【００３３】
図７（Ｂ）及び図７（Ｃ）は、それぞれ断面正方形及び断面正三角形のミキシングロッドの場合を示す。断面長方形の場合も同様である。これらの場合、偏心しても一回の反射で光が断面全体に広がる性質は変わらず、かなり短い距離で均一度を向上させることができる。
【００３４】
図７（Ｄ）は、断面鈍角三角形のミキシングロッドの場合を示す。この場合、偏心した位置によっては特定の側の内面（鈍角を挟む内面）の反射光が影の部分を持つ。これにより、短い距離で均一度を向上させることが難しくなる。
【００３５】
以上のことから、集光性の光源光について、以下のことがわかる：
・多角柱ロッドは均一な出力光を作るミキシング作用を持つ；
・円柱ロッドは中心部が強く周辺部が弱い強度分布（偏心した場合にはリング状の強度分布）を発生させ、均一な出力光を得ることができない。しかし、入射光が均一で、円柱ロッドの長さが短い場合（たとえば直径以下の場合）には、光りの均一性に影響を与えず、そのまま均一な出力光を得ることができる；
・断面が正七角形乃至正六角形乃至正五角形のロッドは、入射集束光がロッドの中心軸に入射する場合には、短いロッドでも高いミキシング効果が得られる；
・断面が正方形状、長方形状、鈍角三角形でない三角形状の場合には、偏心した光に対しても高いミキシング効果が得られる。
【００３６】
以上のことから、断面正三角形状、断面正方形状及び断面長方形状のロッドが最も有利であるが、しかし、リフレクタ付きのランプから出射される光束は断面円形状であり、更に、光ファイバケーブル束の光入射端部は断面円形状の口金による纏め方が最も製作容易であるという事情がある。即ち、光入射効率の点では、断面正方形状及び断面三角形状のロッドは不利であり、またそのまま光ファイバケーブル束の光入射端面と接続すると光量損失が大きいという難点がある。
【００３７】
そこで、ミキシングロッド３を光入射側の多角柱部３１と光出射側の円柱部３２とを含むように構成し、多角柱部３１は断面正五角形、断面正六角形及び断面正七角形のものとし、これを円柱部３２に滑らかに接続した形態となすのが好ましい。そして、多角柱部３１の長さをＬとし、その断面形状における最長対角線の長さをＤとして、Ｌ／Ｄが３以上となるようにすることで、高いミキシング効果が得られる。
【００３８】
光ファイバケーブル４０の光出射端面からの出射光をそのまま被照明体に照射することもできるが、光出射端面に凸レンズなどの光学素子を付設して照射パターンを変えて被照明体へと照射することも可能である。また、光ファイバを撚り加工または照光加工することで、光ファイバケーブル４０の側面から光出射させるようにすることができる。
【００３９】
また、調光と同時または非同時にてカラー演出を行うために、図１に示されているように、光源装置１と光ファイバケーブル束４との間の光通過経路（特に調光板２１とミキシングロッド３との間の領域）にて、複数の着色領域を持つカラー円板７を調光板２１と平行に配置することができる。該カラー円板７は、不図示の回転駆動手段（駆動手段２２と同様なもの）により調光板の回転中心と平行な回転中心の周りで回転せしめられ、更に適宜の回転角度位置にて停止せしめられる。
【００４０】
以下、実施例により本発明を更に説明する。
【００４１】
［実施例１］
図１〜図５に関し説明したような照明装置を製作した。
【００４２】
光ファイバケーブル４０は、プラスチック光ファイバ（三菱レイヨン社製：商品名ＣＫ−３０：光ファイバー径０．７５ｍｍ）を４８本束ね、ポリエチレン製被覆材で被覆した、長さ１０ｍのものである。この光ファイバケーブル４０を１０本用意し、その全ての光入射端部の被覆材を３０ｃｍにわたって剥奪し、これらをランダムに混ぜ合わせて、入射口金４１により纏めて集束した。光入射端面はホットカットして均一に仕上げた。各光ファイバケーブルの光出射端部はパイプ状の口金に入れ、接着剤で接着固定した後、研磨処理した。これらの各光ファイバケーブルの光出射端部を１ｍピッチで床面から被照明体である壁面５に向けて照射するようにした。
【００４３】
光源ランプ１１は、１５０ＷのＣＤＭランプ（セラミック・ディスチャージ・メタルハライド・ランプ）を用い、光ファイバケーブル束４への入射効率を向上させるべくランプ光を集光させるためのリフレクタ１２付きのものを使用した。
【００４４】
調光板２１は、厚み０．５ｍｍ、直径１２０ｍｍの鉄板からなる基材を用い、エッチング加工により、「調光６」〜「調光３」には菱形の小穴を多数開け、「調光２」には円形の小穴を多数開けた。これらの小穴は、各調光度領域における基材半径方向の中心線を境にほぼ線対称になるように配置した。この調光板２１を、駆動手段としてのシンクロナスモータの３ｒ．ｐ．ｍ．で回転する軸に取り付け治具を介して取り付けた。尚、このシンクロナスモータは外部スイッチのＯＮ−ＯＦＦにより回転／停止制御ができるようにした。
【００４５】
ミキシングロッド３は、透明なＰＭＭＡ（ポリメチルメタクリレート）を用いて、多角柱部３１が断面の１辺１０．５ｍｍ且つ長さ６５ｍｍの正六角柱形状で、円柱部３２が直径２１ｍｍφ且つ長さ８ｍｍ（１５°テーパ部を含む）で、つば部３３が直径２３ｍｍφ且つ長さ２ｍｍとなるように製作した。
【００４６】
調光板２１とミキシングロッド３の入射端面との距離を２ｍｍとし、ミキシングロッド３の光出射端面と光ファイバケーブル束４の光入射端面とを密着させた。
【００４７】
外部スイッチのＯＮにより、調光板２１を回転させながら、壁面５に照射されている光を観察したところ、“ちらつき”は全く無く、スムーズに調光された。また、外部スイッチをＯＦＦにし、１０本の光ファイバケーブル４０のそれぞれからの出射光が照射されている壁面５の明るさを観察したところ、全く同等であった。
【００４８】
［実施例２］
実施例１と同様な装置において、光源装置１の外部スイッチをＯＮ−ＯＦＦさせて、調光板２１を各調光領域の中心線（対称中心）が光束の中心になるように順番に停止させた。その時の１つの光ファイバケーブル４０の光出射端面からの出射光の光束値を光束計により測定した。その結果を図８に示す。これにより、調光が円滑且つ効率的に行えることが分かった。
【００４９】
【発明の効果】
以上説明したように、本発明によれば、耐熱性が良好で、ブランチ接続においても全ての光ファイバケーブルについての調光の均一性が良好で、調光変化をスムーズに行うことができ“ちらつき”が発生しない光ファイバケーブルを用いた調光照明装置が提供される。
【図面の簡単な説明】
【図１】本発明による調光照明装置の一実施形態の使用状態を示す斜視図である。
【図２】図１の装置の部分斜視図である。
【図３】図１の装置の光学系の主要部を示す図である。
【図４】調光板の一例を示す正面図である。
【図５】リフレクタ付きの光源ランプの配光特性を示す図である。
【図６】ミキシングロッドの機能を説明するための模式図である。
【図７】ミキシングロッドの機能を説明するための模式図である。
【図８】光ファイバケーブルの光出射端面からの出射光の光束値の測定結果を示す図である。
【符号の説明】
１    光源装置
１１    光源ランプ
１２    リフレクタ（反射鏡）
１３    防熱フィルタ
１４    ランプ用電源
１５    受け口金部
２    調光装置
２１    調光板
「調光１」〜「調光７」    調光度領域
２２    駆動手段
３    ミキシングロッド
３１    多角柱部
３２    円柱部
３３    つば部
４０    光ファイバケーブル
４ａ，４ｂ，４ｃ，４ｄ，４ｅ，４ｆ，・・・・４ｊ    光ファイバケーブル
４    光ファイバケーブル束
４１    入射端口金
５    被照明体
７    カラー円板
【図１】
2004335199.tif 000003
【図２】
2004335199.tif 000004
【図３】
2004335199.tif 000005
【図４】
2004335199.tif 000006
【図５】
2004335199.tif 000007
【図６】
2004335199.tif 000008
【図７】
2004335199.tif 000009
【図８】
2004335199.tif 000010